(57)【要約】【課題】キー入力装置とスピーカが接近して配置された携帯通信端末機の小型化を図る。【解決手段】本発明に係る携帯型通信端末機は、扁平な筐体２の内部に、筐体表面から操作可能なシート状のキー入力装置８を配備すると共に、該キー入力装置８よりも筐体表面から離れた位置に、筐体表面へ向けて放音するスピーカ９を配備して構成される。キー入力装置８とスピーカ９との間にはフレーム７が介在し、該フレーム７には、その表面と裏面に、キー入力装置８の設置面７１とスピーカ９の設置面７４が、互いに一部重複する位置関係に形成されると共に、スピーカ設置面７４には、キー入力装置設置面７１からずれた位置を貫通して、スピーカ９から発せられる音波を筐体表面へ向けて放出する開口７２が形成されている。【選択図】      図５
2004266688.tif 000002
【特許請求の範囲】
【請求項１】
扁平な筐体（２）の内部に、筐体表面から操作可能なシート状のキー入力装置（８）を配備すると共に、該キー入力装置（８）よりも筐体表面から離れた位置に、筐体表面へ向けて放音するスピーカ（９）を配備して構成される携帯型通信端末機において、
キー入力装置（８）とスピーカ（９）との間にはフレーム（７）が介在し、該フレーム（７）には、その表面と裏面に、キー入力装置（８）の設置面（７１）とスピーカ（９）の設置面（７４）が、互いに一部重複する位置関係に形成されると共に、スピーカ設置面（７４）には、キー入力装置設置面（７１）からずれた位置を貫通して、スピーカ（９）から発せられる音波を筐体表面へ向けて放出する開口（７２）が形成されていることを特徴とする携帯型通信端末機。
【請求項２】
キー入力装置（８）及びスピーカ（９）はフレーム（７）に組み付けられてスピーカアセンブリ（６）が構成されている請求項１に記載の携帯型通信端末機。
【請求項３】
フレーム（７）のスピーカ設置面（７４）とスピーカ（９）の放音面（９０）との間には、隙間Ｓが設けられている請求項１又は請求項２に記載の携帯型通信端末機。
【発明の詳細な説明】
【０００１】
【発明の属する技術分野】
本発明は、携帯電話機の如き携帯型通信端末機に関するものである。
【０００２】
【従来の技術】
一般に携帯電話機は扁平な筐体を具え、該筐体の表面には、表示画面とキー操作面が上下に配備されると共に、表示画面の上方には受話部が設けられ、キー操作面の下方には送話部が設けられており、受話部を構成するスピーカとキー操作面を構成するキー入力装置とは、表示画面を構成するディスプレイを間に挟んで、互いに離間して配備されていた（特許文献１、特許文献２参照）。
【０００３】
これに対し、２つの筐体を互いにスライド可能に連結して構成されるスライド式携帯電話機が知られている（例えば特許文献３参照）。
スライド式携帯電話機においては、２つの筐体を閉じた状態でも電子メールの送受信操作やメールの表示を可能とするべく、開閉に拘わらず常に露出している一方の筐体の表面に、送受信操作のためのキーを配備すると共に、スピーカから発せられる着信音や受話音を放出すべき放音部を設ける構成が考えられる。
【０００４】
【特許文献１】
特開平１０−２７６２４９号公報
【特許文献２】
特開２０００−９２１６９号公報
【特許文献３】
特開２０００−３００２４３号公報
【０００５】
【発明が解決しようとする課題】
ところで、スライド式携帯電話機においても小型化が進んでおり、これに伴って、前述の送受信操作用のキーと着信音発生用のスピーカとが互いに接近することとなる。この結果、携帯電話機の更なる小型化を図らんとする場合、キー入力装置とスピーカの間で干渉の問題が発生することとなる。
そこで本発明の目的は、キー入力装置とスピーカが互いに接近して配置された携帯電話機などの携帯通信端末機において、キー入力装置とスピーカの干渉の問題を回避して、機器の更なる小型化を図ることである。
【０００６】
【課題を解決する為の手段】
本発明に係る携帯型通信端末機は、扁平な筐体（２）の内部に、筐体表面から操作可能なシート状のキー入力装置（８）を配備すると共に、該キー入力装置（８）よりも筐体表面から離れた位置に、筐体表面へ向けて放音するスピーカ（９）を配備して構成されている。
キー入力装置（８）とスピーカ（９）との間にはフレーム（７）が介在し、該フレーム（７）には、その表面と裏面に、キー入力装置（８）の設置面（７１）とスピーカ（９）の設置面（７４）が、互いに一部重複する位置関係に形成されると共に、スピーカ設置面（７４）には、キー入力装置設置面（７１）からずれた位置を貫通して、スピーカ（９）から発せられる音波を筐体表面へ向けて放出する開口（７２）が形成されている。
【０００７】
上記本発明の携帯型無線端末機においては、キー入力装置（８）とスピーカ（９）の間にフレーム（７）が介在して、キー入力装置（８）とスピーカ（９）を保持しているので、キー入力装置（８）を操作したときの操作力はフレーム（７）によって受け止められ、スピーカ（９）には伝わらない。
又、スピーカ（９）から発せられる音波は、フレーム（７）の開口（７２）を通過して、筐体表面から放出される。ここで、スピーカ（９）の放音面（９０）は、その一部がフレーム（７）によって覆われているに過ぎないので、スピーカ（９）の音響特性が悪化する虞はない。
【０００８】
具体的構成において、キー入力装置（８）及びスピーカ（９）はフレーム（７）に組み付けられてスピーカアセンブリ（６）が構成されている。
該具体的構成によれば、携帯型無線端末機の組立工程において、予め組み立てておいたスピーカアセンブリ（６）を筐体（２）に組み込む方法を採用することが出来るので、組立作業が容易となる。
【０００９】
又、他の具体的構成において、フレーム（７）のスピーカ設置面（７４）とスピーカ（９）の放音面（９０）との間には、隙間Ｓが設けられている。
従って、スピーカ（９）の放音面（９０）の内、フレーム（７）の開口（７２）と対向する領域から発せられる音波は、フレーム（７）の開口（７２）へ直接に進行し、フレーム（７）によって覆われている領域から発せられる音波は前記隙間Ｓを経て開口（７２）へ進行する。この様に、スピーカ（９）の放音面（９０）の全域から音波が発せられるので、フレーム（７）によってスピーカ（９）の音響特性が悪影響を受けることはない。
【００１０】
【発明の効果】
本発明に係る携帯型無線端末機によれば、キー入力装置（８）とスピーカ（９）とが互いに一部重複する位置関係に配備されているので、キー入力装置（８）とスピーカ（９）の相互干渉の問題は発生せず、互いに重複した分だけキー入力装置（８）とスピーカ（９）の設置空間が縮小されることとなり、ひいては機器全体の小型化が実現される。
【００１１】
【発明の実施の形態】
以下、本発明をスライド式携帯電話機に実施した形態につき、図面に沿って具体的に説明する。
本発明に係るスライド式携帯電話機は、図１〜図４に示す如く、第１筐体（１）と第２筐体（２）を互いにスライド可能に連結して構成されている。ここで、第２筐体（２）は、背面キャビネット（３）と前面キャビネット（４）を接合して構成され、第１筐体（１）も同様のキャビネット接合構成を有している。
【００１２】
図１の如く、前面側に配置された第１筐体（１）の表面には、メールの送受信時等に操作すべき複数の操作キー（２１）、表示画面（２２）、受話部（２３）、カメラ窓（２４）、及び左右一対の放音部（２５）（２５）が配備されている。
尚、前記左右一対の放音部（２５）（２５）は、着信時に着信報知メロディーを放音し、或いはハンズフリーモードで受話音を放音するために用いられる。
【００１３】
又、図３の如く、第１筐体（１）の表面には、第２筐体（２）を開き位置までスライドさせたときに露出することとなる領域に、電話番号やメール文章の入力時に操作すべき複数の操作キー（１１）や送話部（１２）が配備されている。
更に、図４の如く、第２筐体（２）の背面には、第２筐体（２）を開き位置までスライドさせたときに露出することとなる領域に、カメラ窓（１３）及びフラッシュ窓（１４）が配備されている。
【００１４】
第２筐体（２）を構成する背面キャビネット（３）と前面キャビネット（４）の間には、図６及び図７に示す如く、ディスプレイアセンブリ（５）とスピーカアセンブリ（６）が配備される。
ディスプレイアセンブリ（５）は、枠状のホルダー（５１）に、液晶ディスプレイ（５２）とＣＣＤカメラ（５３）を取り付けると共に、その背面に回路基板（５４）を取り付けて構成されている。該回路基板（５４）の裏面には、図７に示す如くカメラ（５５）及びフラッシュ（５６）が配備されている。
【００１５】
スピーカアセンブリ（６）は、前面キャビネット（４）上の複数の操作キー（２１）によって押下されるべきキー入力装置（８）と、前面キャビネット（４）の一対の放音部（２５）（２５）へ向けて音波を発すべき左右一対のスピーカ（９）（９）とを具え、キー入力装置（８）とスピーカ（９）（９）の間には樹脂製のフレーム（７）が介在している。
キー入力装置（８）は、ベース（８３）上にメタルドームシート（８２）を設置して構成され、メタルドームシート（８２）には、前記複数の操作キー（２１）によって押圧されるべき複数のドーム部（８１）が形成されている。
【００１６】
スピーカ（９）の放音面（９０）には、その外周部を覆って、リング状の緩衝部材（９１）が貼り付けられている。
フレーム（７）の表面には、キー入力装置（８）を設置するためのキー入力装置設置面（７１）が形成されると共に、フレーム（７）の裏面には、一対のスピーカ（９）（９）を設置するための一対のスピーカ設置面（７４）（７４）が形成され、キー入力装置設置面（７１）とスピーカ設置面（７４）（７４）とは、互いに一部が重複する位置関係に形成されている。フレーム（７）の各スピーカ設置面（７４）には、スピーカ（９）の外周面を包囲すべき円筒状のリブ（７３）が突設されている。
又、フレーム（７）には、各スピーカ設置面（７４）に、キー入力装置設置面（７１）からずれた位置を貫通して、スピーカ（９）の放音面（９０）から発せられる音波を前面キャビネット（４）の放音部（２５）へ向けて放出すべき半円状の開口（７２）が形成されている。
【００１７】
スピーカアセンブリ（６）においては、図８に示す如く、フレーム（７）にキー入力装置（８）と一対のスピーカ（９）（９）とが組み付けられて、１ユニット化されている。尚、一対のスピーカ（９）（９）は、図９の如く、金属製の取付け具（７０）によってフレーム（７）に保持されている。
【００１８】
上記スライド式携帯電話機においては、図５に示す如く、前面キャビネット（４）の内面に、前面キャビネット（４）の操作キー（２１）によって操作可能なキー入力装置（８）が配備されると共に、該キー入力装置（８）よりも前面キャビネット（４）の内面から離れた位置に、前面キャビネット（４）の放音部（２５）へ向けて音波を発するスピーカ（９）が配備されることとなり、キー入力装置（８）とスピーカ（９）とは、フレーム（７）を間に挟んで、互いに一部重複した位置関係となる。
又、スピーカ（９）の放音面（９０）に貼り付けた緩衝部材（９１）がフレーム（７）のスピーカ設置面（７４）に当接して、フレーム（７）のスピーカ設置面（７４）とスピーカ（９）の放音面（９０）との間には、緩衝部材（９１）の厚さに応じた隙間Ｓが設けられることになる。
【００１９】
従って、スピーカ（９）の放音面（９０）は、一部の領域がフレーム（７）によって覆われることになるが、その領域は一部に過ぎず、然も、該領域には、フレーム（７）のスピーカ設置面（７４）とスピーカ（９）の放音面（９０）との間に、前記隙間Ｓが設けられているので、スピーカ（９）の放音面（９０）から発せられる音波はスムーズに開口（７２）を通過して、前面キャビネット（４）の放音部（２５）から前方へ放出されることになる。これによって、スピーカ（９）の音響特性を十分に発揮させることが出来る。
【００２０】
又、操作キー（２１）の操作によってキー入力装置（８）を押下した場合、その押圧力はフレーム（７）によって確実に受け止められ、スピーカ（９）に作用することはないので、スピーカ（９）の破損を招く虞はない。
【００２１】
上記本発明のスライド式携帯電話機においては、キー入力装置（８）とスピーカ（９）とが互いに一部重複する位置関係に配備されているので、その重複分だけキー入力装置（８）とスピーカ（９）の設置空間が縮小される。
然も、キー入力装置（８）とスピーカ（９）は、図５の如く前面キャビネット（４）の表面の傾斜に応じて、互いの位置がずれた上下２段の位置関係に配置されているので、上下２段の配置による厚さ方向の大型化を招くこともない。
この結果、第２筐体（２）の小型化、ひいては電話機全体の小型化が実現される。
【００２２】
尚、本発明の各部構成は上記実施の形態に限らず、特許請求の範囲に記載の技術的範囲内で種々の変形が可能である。例えば本発明は、スライド式携帯電話機に限らず、単一の筐体を具えたストレートタイプの携帯電話機に実施することも可能である。
【図面の簡単な説明】
【図１】本発明に係るスライド式携帯電話機の閉じ状態の斜視図である。
【図２】同上の閉じ状態を背面側から見た斜視図である。
【図３】該スライド式携帯電話機の開き状態の斜視図である。
【図４】同上の開き状態を背面側から見た斜視図である。
【図５】該スライド式携帯電話機の要部を示す断面図である。
【図６】該スライド式携帯電話機を構成する第２筐体の分解斜視図である。
【図７】上下を逆転させて示す同上の分解斜視図である。
【図８】スピーカアセンブリの拡大斜視図である。
【図９】スピーカアセンブリを背面側から見た同上の拡大斜視図である。
【符号の説明】
（１）  第１筐体
（２）  第２筐体
（２５）  放音部
（３）  背面キャビネット
（４）  前面キャビネット
（６）  スピーカアセンブリ
（７）  フレーム
（７１）  キー入力装置設置面
（７２）  開口
（７４）  スピーカ設置面
（８）  キー入力装置
（８２）  メタルドームシート
（８３）  ベース
（９）  スピーカ
（９０）  放音面
（９１）  緩衝部材
【図１】
2004266688.tif 000003
【図２】
2004266688.tif 000004
【図３】
2004266688.tif 000005
【図４】
2004266688.tif 000006
【図５】
2004266688.tif 000007
【図６】
2004266688.tif 000008
【図７】
2004266688.tif 000009
【図８】
2004266688.tif 000010
【図９】
2004266688.tif 000011